(57)【要約】【課題】制御盤機器への通電を維持したまま筐体を開いて制御盤機器にアクセスする必要がある作業が実施可能であり、かつ、その際に作業者に制御盤機器への通電が維持された状態であることへの注意喚起を確実に行うことができる制御盤装置を提供する。【解決手段】制御盤装置において、前面に開口が形成された箱状の筐体と、筐体の開口を開閉する蓋体と、筐体内に収容された制御盤機器と、筐体の蓋体と対向する位置に設けられた電磁石と、を備え、蓋体における少なくとも電磁石に対向する箇所は磁性体からなり、電磁石は、電源から制御盤機器への電力供給を遮断するブレーカーの遮断状態と連動して、ブレーカーが電源から制御盤機器への電力供給を遮断していない場合にオンとなり、電磁石の強度は、電磁石がオンの時に磁性体に働く力が、人力で蓋体を開閉可能な程度に予め定められた吸引力以下となるように調整される。【選択図】図２
2015162957.tif 000002
【特許請求の範囲】
【請求項１】
前面に開口が形成された箱状の筐体と、
前記筐体の前記開口を開閉する蓋体と、
前記筐体内に収容された制御盤機器と、
前記筐体の前記蓋体と対向する位置に設けられた電磁石と、を備え、
前記蓋体における少なくとも前記電磁石に対向する箇所は、磁性体からなり、
前記電磁石は、電源から前記制御盤機器への電力供給を遮断するブレーカーの遮断状態と連動して、前記ブレーカーが前記電源から前記制御盤機器への電力供給を遮断していない場合にオンとなり、
前記電磁石の強度は、前記電磁石がオンの時に前記磁性体に働く力が、人力で前記蓋体を開閉可能な程度に予め定められた吸引力以下となるように調整された制御盤装置。
【請求項２】
前記ブレーカーが電源から前記制御盤機器への電力供給を遮断していない場合に、前記電磁石をオフにするためのスイッチを備えた請求項１に記載の制御盤装置。
【発明の詳細な説明】
【技術分野】
【０００１】
この発明は、制御盤装置に関するものである。
【背景技術】
【０００２】
従来、筐体を開閉する扉は、安全性等を考慮して、メインブレーカーによって電源回路が遮断された状態でなければ、開かないようにしておくことを目的として、１枚の扉によって筐体を開閉する小型の制御盤において、筐体内に組み込まれたメインブレーカーによって電源回路を遮断しなければ扉を開くことができないブレーカーハンドルを扉に取り付けておくようにした制御盤が知られている（例えば、特許文献１の段落０００３等参照）。
【先行技術文献】
【特許文献】
【０００３】
【特許文献１】特開２００２−０７０３９６号公報
【発明の概要】
【発明が解決しようとする課題】
【０００４】
しかしながら、制御盤の筐体を開いて行う作業には、制御盤の筐体内に収容された機器（以下、制御盤機器という）への通電を遮断した状態で行われるものだけでなく、制御盤機器に通電された状態で行う必要があるものも存在する。だが、特許文献１に示された従来における制御盤装置においては、制御盤の筐体を開いて収容された制御盤機器にアクセスするためには、必ず制御盤機器への通電を遮断しなければならない。
【０００５】
この発明は、このような課題を解決するためになされたもので、第１の目的は、制御盤機器への通電を維持したまま、筐体を開いて制御盤機器にアクセスする必要がある作業を実施することができ、かつ、その際に作業者に制御盤機器への通電が維持された状態であることへの注意喚起を確実に行うことができる制御盤装置を得るものである。
【０００６】
また、第２の目的は、制御盤機器への通電が遮断されていない状態で筐体を開けようとした作業者に対し制御盤機器への通電が遮断されていないことを確実に認知させ、制御盤機器への通電を遮断してから筐体を開けるよう促すことができる制御盤装置を得るものである。
【課題を解決するための手段】
【０００７】
この発明に係る制御盤装置においては、前面に開口が形成された箱状の筐体と、前記筐体の前記開口を開閉する蓋体と、前記筐体内に収容された制御盤機器と、前記筐体の前記蓋体と対向する位置に設けられた電磁石と、を備え、前記蓋体における少なくとも前記電磁石に対向する箇所は、磁性体からなり、前記電磁石は、電源から前記制御盤機器への電力供給を遮断するブレーカーの遮断状態と連動して、前記ブレーカーが前記電源から前記制御盤機器への電力供給を遮断していない場合にオンとなり、前記電磁石の強度は、前記電磁石がオンの時に前記磁性体に働く力が、人力で前記蓋体を開閉可能な程度に予め定められた吸引力以下となるように調整された構成とする。
【発明の効果】
【０００８】
この発明に係る制御盤装置においては、制御盤機器への通電を維持したまま、筐体を開いて制御盤機器にアクセスする必要がある作業を実施することができ、かつ、その際に作業者に制御盤機器への通電が維持された状態であることへの注意喚起を確実に行うことができるという効果を奏する。
【０００９】
また、制御盤機器への通電が遮断されていない状態で筐体を開けようとした作業者に対し制御盤機器への通電が遮断されていないことを確実に認知させ、制御盤機器への通電を遮断してから筐体を開けるよう促すことができるという効果も併せ奏する。
【図面の簡単な説明】
【００１０】
【図１】この発明の実施の形態１に係る制御盤装置の正面図である。
【図２】この発明の実施の形態１に係る制御盤装置の側方断面図である。
【図３】この発明の実施の形態１に係る制御盤装置のブロック図である。
【図４】この発明の実施の形態２に係る制御盤装置のブロック図である。
【発明を実施するための形態】
【００１１】
この発明を添付の図面に従い説明する。各図を通じて同符号は同一部分又は相当部分を示しており、その重複説明は適宜に簡略化又は省略する。
【００１２】
実施の形態１．
図１から図３は、この発明の実施の形態１に係るもので、図１は制御盤装置の正面図、図２は制御盤装置の側方断面図、図３は制御盤装置のブロック図である。
【００１３】
図１及び図２に示すように、この発明に係る制御盤装置１は、筐体１０と蓋体２０とを備えている。筐体１０は、直方体状の箱体である。筐体１０の前面には、開口１０ａが形成されている。
【００１４】
筐体１０の前面には、蓋体２０が設けられている。蓋体２０は、筐体１０の開口１０ａを開閉するためのものである。ここでは、蓋体２０は、４つのビス２０ａを用いて筐体１０に着脱可能に取り付けられている。したがって、蓋体２０を筐体１０に取り付けることで開口１０ａを閉塞することができる。また、蓋体２０を筐体１０から取り外すことで開口１０ａを開放することができる。
【００１５】
このため、蓋体２０には図示しないビス穴が設けられている。ビス穴はビス２０ａの取り付け位置に応じて配置される。各ビス穴はビス２０ａのネジ棒部分が通される。各ビス穴の内径は、ビス２０ａのネジ棒部分の外径より大きく、かつ、ビス２０ａの頭部の外径より小さい。
【００１６】
また、蓋体２０の上端部には、引掛部２０ｂが形成されている。引掛部２０ｂは、蓋体２０の上端部が蓋体２０の裏面側へと直角に折り曲げられて形成されている。ビス２０ａにより蓋体２０を着脱する際に、引掛部２０ｂを筐体１０の上面に引っかけることで、蓋体２０の保持及び位置合わせを容易に行うことができる。
【００１７】
なお、ビス２０ａを通すための穴は、いわゆるダルマ穴であってもよい。すなわち、内径がビス２０ａのネジ棒部分の外径より大きく、かつ、ビス２０ａの頭部の外径より小さい部分と、内径がビス２０ａの頭部の外径より大きい部分とを組み合わせることで１つのビス穴を構成するようにしてもよい。このようにビス２０ａを通す穴をダルマ穴とすることで、ビス２０ａを完全に取り外さなくとも筐体１０から蓋体を着脱することができる。また、位置合わせも容易になる。
【００１８】
また、蓋体２０は扉であってもよい。この場合には、蓋体２０の一側が筐体１０に丁番等を介して取り付けられる。蓋体２０を扉にすることで、蓋体２０が筐体１０から離脱して落下等するおそれがなくなる。さらに位置合わせも不要である。
【００１９】
筐体１０には、電磁石１１が設けられている。電磁石１１は、筐体１０の内側（内壁）の四隅にそれぞれ設けられる。そして、電磁石１１は、これらの四隅における蓋体２０と対向する位置に配置される。
【００２０】
蓋体２０には、磁性体２１が取り付けられている。磁性体２１は、少なくとも電磁石１１に対向する箇所に設けられる。すなわち、ここでは、磁性体２１は、筐体１０の内壁の四隅に対応する箇所に少なくとも設けられる。なお、蓋体２０全体を板金等の磁性体で構成するようにしてもよい。この場合には、蓋体２０と磁性体２１とを同一視できることになる。
【００２１】
筐体１０内には、制御盤機器３０が収容されている。この制御盤機器３０を動作させるための電力は電源２により供給される。図３を参照しながら、電源関係の構成について説明する。前述したように、制御盤機器３０へと電力を供給するため電源２が設けられている。
【００２２】
電源２から制御盤機器３０への電力供給線の中途には、ブレーカー３が介挿されている。すなわち、ブレーカー３の１次側に電源２が接続されている。そして、ブレーカー３の２次側に制御盤機器３０が接続されている。ブレーカー３は、必要時に電源２から制御盤機器３０への電力供給を遮断するためのものである。
【００２３】
ブレーカー３は、例えば電源２から制御盤機器３０に供給されている電力値が予め定められた基準値を超過した場合に、電源２から制御盤機器３０への電力供給を遮断する。また、手動によりブレーカー３の遮断状態を操作することもできる。具体的に例えば、制御盤機器３０に電力が供給されていない状態で制御盤機器３０の保守点検を行う場合等には、手動でブレーカー３を操作して電源２から制御盤機器３０への電力供給を遮断することができる。
【００２４】
電磁石１１は、制御盤機器３０と同じくブレーカー３の２次側に接続されている。したがって、電磁石１１の動作状態（オン／オフ）は、ブレーカー３の遮断状態と連動している。より詳しくは、ブレーカー３が電源２から制御盤機器３０への電力供給を遮断していない場合には、電源２から電磁石１１にも電力が供給されて電磁石１１はオンとなる。一方、ブレーカー３が電源２から制御盤機器３０への電力供給を遮断している場合には、電源２から電磁石１１への電力供給も遮断されて電磁石１１はオフとなる。
【００２５】
オンとなった電磁石１１は磁界を生成して、蓋体２０の磁性体２１を吸引する。この際の電磁石１１の強度は、電磁石１１から磁性体２１に働く吸引力が、人力で蓋体２０を開閉可能な程度に予め定められた吸引力以下となるように調整されている。
【００２６】
このため、電磁石１１がオンの時に蓋体２０を開けようとした場合、電磁石１１から磁性体２１に働く吸引力の分だけ抵抗を感じつつも、この際の吸引力は人力で蓋体２０を開閉可能な程度に設定されているため、蓋体２０を開けること自体は可能である。したがって、筐体１０内の制御盤機器３０に電力が供給された状態で蓋体２０を開けようとしていることを確実に作業者に認知させることができる。
【００２７】
すなわち、本来制御盤機器３０への電力供給を遮断してから行わなければならない作業を実施するために蓋体２０を開けようとしていた作業者は、蓋体２０を開ける際に抵抗を感じることで、制御盤機器３０への電力供給を遮断し忘れていたことに気付くことができる。
【００２８】
また、前述したように制御盤機器３０に電力が供給され電磁石１１のオンの状態であっても、蓋体２０を開けること自体は可能である。したがって、制御盤機器３０への電力供給を続けながら行わなければならない作業を実施するために蓋体２０を開けようとした作業者には、蓋体２０を開ける際の抵抗により現在制御盤機器３０に電力が供給されている状態であることを改めて注意喚起しつつ、蓋体２０の開閉自体は許可することができる。
【００２９】
なお、この発明に係る制御盤装置は、筐体１０内に制御盤機器３０が収容され、蓋体２０により開閉される種々の制御盤に使用することができる。具体的に例えば、エレベータの昇降路内あるいは機械室内に設置される制御盤に使用することができる。また、エスカレータの制御盤にも使用することができる。さらには、ビル内の空調機器等を制御するための制御盤にも使用することができる。
【００３０】
以上のように構成された制御盤装置は、前面に開口１０ａが形成された箱状の筐体１０と、筐体１０の開口１０ａを開閉する蓋体２０と、筐体１０内に収容された制御盤機器３０と、筐体１０の蓋体２０と対向する位置に設けられた電磁石１１と、を備えている。そして、蓋体２０における少なくとも電磁石１１に対向する箇所は磁性体２１からなり、電磁石１１は、電源２から制御盤機器３０への電力供給を遮断するブレーカー３の遮断状態と連動して、ブレーカー３が電源２から制御盤機器３０への電力供給を遮断していない場合にオンとなり、電磁石１１の強度は、電磁石１１がオンの時に磁性体２１に働く力が、人力で蓋体２０を開閉可能な程度に予め定められた吸引力以下となるように調整されている。
【００３１】
このため、制御盤機器への通電を維持したまま、筐体を開いて制御盤機器にアクセスする必要がある作業を実施することができ、かつ、その際に作業者に制御盤機器への通電が維持された状態であることへの注意喚起を確実に行うことができる。
【００３２】
また、制御盤機器への通電が遮断されていない状態で筐体を開けようとした作業者に対し制御盤機器への通電が遮断されていないことを確実に認知させ、制御盤機器への電力供給が必要でない場合には制御盤機器への通電を遮断してから筐体を開けるよう促すことができる。
【００３３】
実施の形態２．
図４は、この発明の実施の形態２に係るもので、制御盤装置のブロック図である。
ここで説明する実施の形態２は、前述した実施の形態１の構成に加えて、電磁石をオフにするためのスイッチをさらに設けたものである。
【００３４】
すなわち、図４に示すように、ブレーカー３と電磁石１１との間には、スイッチ４が設けられている。このスイッチ４の実体は、例えば、蓋体２０の前面部、あるいは、筐体１０の外側面部等に取り付けられる。
【００３５】
スイッチ４の状態は、ブレーカー３から制御盤機器３０への電力供給状態に影響を与えない。したがって、ブレーカー３が電源２から制御盤機器３０への電力供給を遮断していない場合に、作業者はスイッチ４を操作することで、電磁石１１をオフにすることができる。
なお、他の構成については実施の形態１と同様であって、その詳細説明は省略する。
【００３６】
実施の形態１で説明したように、以上のように構成された制御盤装置においては、制御盤機器３０への電力供給を続けながら行わなければならない作業を実施するために蓋体２０を開けようとした作業者に対し、蓋体２０を開ける際の抵抗により現在制御盤機器３０に電力が供給されている状態であることを改めて注意喚起することができる。
【００３７】
しかしながら、現在制御盤機器３０に電力が供給されている状態であることを作業者がしっかりと認知した後であっても、ブレーカー３により電力供給を遮断しない限り蓋体２０の開閉に電磁石１１による抵抗が加わり作業性が低下してしまう懸念がある（特に蓋体２０を閉める際の位置合わせ等）。
【００３８】
そこで、蓋体２０の開閉における作業性を重視する場合には、この実施の形態２を適用することにより、実施の形態１と同様の効果を奏することができるのに加えて、一旦、現在制御盤機器３０に電力が供給されている状態であることを作業者に認知させた後は、作業者の判断により電磁石１１をオフにして作業性の低下を確実に回避することができる。
【符号の説明】
【００３９】
１  制御盤装置、  ２  電源、  ３  ブレーカー、  ４  スイッチ、  １０  筐体、  １０ａ  開口、  １１  電磁石、  ２０  蓋体、  ２０ａ  ビス、  ２０ｂ  引掛部、  ２１  磁性体、  ３０  制御盤機器
【図１】
2015162957.tif 000003
【図２】
2015162957.tif 000004
【図３】
2015162957.tif 000005
【図４】
2015162957.tif 000006